(57)【要約】      （修正有）【課題】杭への装着と取外しが容易で、かつ杭の脱落を抑制することが可能な、端板付き既製コンクリート杭の吊り金具装置、及び端板付き既製コンクリート杭の建込み方法を提供する。【解決手段】杭端面３ａに端板１２が固定された端板付き既製コンクリート杭１の吊り金具装置１０であって、端板１２上に放射状に設けられて杭本体３より外側に突出するかみ合わせ金物１３と、かみ合わせ金物１３と連結される杭吊り治具２０と、を備え、杭吊り治具２０は、既製コンクリート杭１の杭頭部１ａを覆う筒状胴部２１と、筒状胴部２１の外周面２１ｃに設けられたワイヤ掛け部材２６と、かみ合わせ金物１３と係合する、筒状胴部２１に形成された係合切欠き部２１ｄとを有している。【選択図】図１
2019190172.tif 000002
【特許請求の範囲】
【請求項１】
杭端面に端板が固定された端板付き既製コンクリート杭の吊り金具装置であって、
前記端板上に放射状に設けられて杭本体より外側に突出するかみ合わせ金物と、
前記かみ合わせ金物と連結される杭吊り治具と、を備え、
前記杭吊り治具は、前記既製コンクリート杭の杭頭部を覆う筒状胴部と、当該筒状胴部の外周面に設けられたワイヤ掛け部材と、前記かみ合わせ金物と係合する、前記筒状胴部に形成された係合切欠き部とを有していることを特徴とする端板付き既製コンクリート杭の吊り金具装置。
【請求項２】
前記係合切欠き部には、その開口部を閉塞するように前記筒状胴部に脱落防止プレートが取り付けられていることを特徴とする請求項１に記載の端板付き既製コンクリート杭の吊り金具装置。
【請求項３】
先行杭を杭穴に建て込み、杭預け用ワイヤで先行杭を保持した状態で、前記先行杭の上部に打継ぎ杭を連結させる端板付き既製コンクリート杭の建込み方法であって、
請求項１または請求項２に記載の端板付き既製コンクリート杭の吊り金具装置を用いて、前記先行杭を前記杭穴に建て込む工程と、
前記先行杭の杭頭部を前記杭預け用ワイヤで締結して、当該杭預け用ワイヤを前記杭穴近傍に設けられた杭受け部材に固定して、前記先行杭を前記杭穴に保持する工程と、
前記先行杭の前記杭吊り治具を取り外す工程と、
前記先行杭の上部に、前記打継ぎ杭を建て込み、前記先行杭の上端と、前記打継ぎ杭の下端を連結させる工程と、
を含むものであり、
前記杭穴に建て込む工程から前記先行杭に前記打継ぎ杭を連結させる工程までを繰り返し行い、前記杭穴に所定長さの前記端板付き既製コンクリート杭を建て込むことを特徴とする端板付き既製コンクリート杭の建込み方法。
【発明の詳細な説明】
【技術分野】
【０００１】
本発明は、杭材端面に端板が固定された端板付き既製コンクリート杭を楊重し杭穴に建て込む際に、杭頭部に取り付ける端板付き既製コンクリート杭用の吊り金具装置、及び当該吊り金具装置を用いた端板付き既製コンクリート杭の建込み方法に関する。
【背景技術】
【０００２】
建築構造物の施工においては、建築構造物を支持固定する既製コンクリート杭を地中に建て込むことが、広く行われている。
既製コンクリート杭の建て込みに際し、既製コンクリート杭を揚重し縦吊りする必要がある。既製コンクリート杭に直接、玉掛けワイヤを巻き絞ることで既製コンクリート杭を揚重すると、ワイヤがすべり、既製コンクリート杭が脱落する可能性がある。したがって、既製コンクリート杭に、ワイヤのすべりを抑制する、または、ワイヤと既製コンクリート杭を連結する治具、装置が使用されている。
【０００３】
例えば、特許文献１には、既製杭の外周を包囲して取付ける複数の円弧状バンドと、バンドの端部間を連結して環体を形成する手段とより構成される、吊りワイヤすべり止め治具によって、既製杭に巻回した吊りワイヤのすべりを防止することが開示されている。
また、特許文献２には、既製コンクリート杭の先端外周に嵌合されて固定される円筒形の垂直吊り部材と、垂直吊り部材の下側にあって既製コンクリート杭の外周に嵌合される円筒形の傾斜吊り部材とを有する、既製コンクリート杭に容易に装着可能な、既製コンクリート杭吊り装置が開示されている。
また、特許文献３には、既製コンクリート杭の外周に嵌合されて固定される筒状の筒状胴部と、既製コンクリート杭の頭部端面に固定される天板と、筒状胴部の軸心を中心として互いに対称な位置に設けられた一対のワイヤ掛け部材を備える既製杭吊り金具兼用建込み装置連結具により、既製杭の吊り上げ作業を安全に行うことが開示されている。
【０００４】
上記のような治具や装置は、既製コンクリート杭の建て込み作業を容易にするため、既製コンクリート杭への装着や取り外しが簡便に行えることが望ましい。
すなわち、杭への装着と取外しがより容易で、かつ既製コンクリート杭の脱落をより効果的に抑制可能な、既製コンクリート杭の吊り金具装置が望まれている。
【先行技術文献】
【特許文献】
【０００５】
【特許文献１】特開平１１−１８０６７３号公報
【特許文献２】特開２００９−４１２６１号公報
【特許文献３】特開２００９−１０８５７８号公報
【発明の概要】
【発明が解決しようとする課題】
【０００６】
本発明が解決しようとする課題は、杭への装着と取外しが容易で、かつ杭の脱落を抑制することが可能な、端板付き既製コンクリート杭の吊り金具装置、及び端板付き既製コンクリート杭の建込み方法を提供することである。
【課題を解決するための手段】
【０００７】
本発明者らは、端板付き既製コンクリート杭用の吊り金具装置として、杭材端面に端板が固定された既製コンクリート杭を対象として、端板上にかみ合わせ金物を取り付け、そのかみ合わせ金物付き端板を当該かみ合わせ金物と係合される杭吊り治具とを幾何学的に噛み合わせて保持させることで、熟練技術者でなくても、容易に既製コンクリート杭を脱落させることなく、縦吊り楊重が可能である点に着眼し、本発明に至った。
本発明は、上記課題を解決するため、以下の手段を採用する。すなわち、本発明は、杭端面に端板が固定された端板付き既製コンクリート杭の吊り金具装置であって、前記端板上に放射状に設けられて杭本体より外側に突出するかみ合わせ金物と、前記かみ合わせ金物と連結される杭吊り治具と、を備え、前記杭吊り治具は、前記既製コンクリート杭の杭頭部を覆う筒状胴部と、当該筒状胴部の外周面に設けられたワイヤ掛け部材と、前記かみ合わせ金物と係合する、前記筒状胴部に形成された係合切欠き部とを有していることを特徴とする。
上記のような構成によれば、端板付き既製コンクリート杭の端板上には、かみ合わせ金物が杭本体より外部側に突出するように放射状に設けられている。この端板付き既製コンクリート杭の杭頭部に、既製コンクリート杭を覆う筒状胴部と、当該筒状胴部の外周面に設けられたワイヤ掛け部材と、かみ合わせ金物と係合させる係合切欠き部とを有する杭吊り治具を設置し、当該杭吊り治具とかみ合わせ金物付き端板とを係合させることで、杭に杭吊り治具を確実に沿う装着させることができ、杭を脱落させることなく、端板付き既製コンクリート杭を縦吊り楊重することができる。具体的には、かみ合わせ金物と、杭吊り治具の係合切欠き部が係合しているため、端板付き既製コンクリート杭と、ワイヤ掛け部材に固定されたワイヤは、端板及びこれに設けられたかみ合わせ金物、杭吊り治具の筒状胴部、及びワイヤ掛け部材を介して連結されている。
【０００８】
本発明の一態様においては、前記係合切欠き部には、その開口部を閉塞するように前記筒状胴部に脱落防止プレートが取り付けられていることを特徴とする。
上記のような構成によれば、係合切欠き部に係合されたかみ合わせ金物は、係合切欠き部の開口部側を閉塞するように、脱落防止プレートが取り付けられているため、かみ合わせ金物が係合切欠き部から外れようとしても、脱落防止プレートで抑止することができる。したがって、既製コンクリート杭の脱落を抑制することができる。また、この逆の手順を踏むことにより、杭吊り治具を既製コンクリート杭から取り外すことができる。すなわち、吊り金具装置の既製コンクリート杭への装着、取り外しが容易である。
【０００９】
本発明の別の態様においては、先行杭を杭穴に建て込み、杭預け用ワイヤで先行杭を保持した状態で、前記先行杭の上部に打継ぎ杭を連結させる端板付き既製コンクリート杭の建込み方法であって、上記のような端板付き既製コンクリート杭の吊り金具装置を用いて、前記先行杭を前記杭穴に建て込む工程と、前記先行杭の杭頭部を前記杭預け用ワイヤで締結して、当該杭預け用ワイヤを前記杭穴近傍に設けられた杭受け部材に固定して、前記先行杭を前記杭穴に保持する工程と、前記先行杭の前記杭吊り治具を取り外す工程と、前記先行杭の上部に、前記打継ぎ杭を建て込み、前記先行杭の上端と、前記打継ぎ杭の下端を連結させる工程と、を含むものであり、前記杭穴に建て込む工程から前記先行杭に前記打継ぎ杭を連結させる工程までを繰り返し行い、前記杭穴に所定長さの前記端板付き既製コンクリート杭を建て込むことを特徴とする。
上記のような構成によれば、上記に示す本発明の端板付き既製コンクリート杭の吊り金具装置を用いることで、端板付き既製コンクリート杭を楊重した際の回転や横ブレを抑止可能であり、かつ端板付き既製コンクリート杭の脱落を抑制可能で、安定した縦吊り状態で、杭穴に複数の端板付き既製コンクリート杭を建て込み、連結させてコンクリート杭を構築することができる。
また、吊り金具装置の端板付き既製コンクリート杭への装着、取り外しが容易であり、既製コンクリート杭の建て込みの工数を低減可能である。
【発明の効果】
【００１０】
本発明によれば、杭への装着と取外しが容易で、かつ杭の脱落を抑制することが可能な、端板付き既製コンクリート杭の吊り金具装置、及び端板付き既製コンクリート杭の建込み方法を提供することができる。
【図面の簡単な説明】
【００１１】
【図１】本発明の実施形態における吊り金具装置、及び吊り金具装置が装着された既製コンクリート杭の側面図である。
【図２】既製コンクリート杭の上端の斜視図である。
【図３】図１に示す吊り金具装置の斜視図である。
【図４】図１に示す吊り金具装置が装着された既製コンクリート杭の斜視図である。
【図５】実施形態における既製コンクリート杭の建込み方法の説明図（先行杭に取り付ける吊り金具装置）である。
【図６】既製コンクリート杭の建込み方法の説明図（杭吊り治具と杭上端の端板との係止方法）である。
【図７】既製コンクリート杭の建込み方法の説明図（杭吊り治具と杭との係止状態）である。
【図８】既製コンクリート杭の建込み方法の説明図（杭打機による先行杭の楊重方法）である。
【図９】既製コンクリート杭の建込み方法の説明図（杭穴上部位置における先行杭の縦吊り状況）である。
【図１０】既製コンクリート杭の建込み方法の説明図（先行杭と打継ぎ杭の連結方法）である。
【図１１】既製コンクリート杭の建込み方法の説明図（連結された先行杭と打継ぎ杭の沈降方法）である。
【図１２】既製コンクリート杭の建込み方法の説明図（杭穴に所定数の打継ぎ杭が建て込まれた状況）である。
【図１３】変形例における既製コンクリート杭上端の端板の斜視図である。
【発明を実施するための形態】
【００１２】
本発明は、端板付き既製コンクリート杭を対象とする杭頭部に固定されるかみ合わせ金物付き端板と、当該かみ合わせ金物付き端板と幾何学的に噛み合わせる杭吊り治具とで構成される端板付き既製コンクリート杭の吊り金具装置（図１〜図４、図１３）、及び当該吊り金具装置を用いた端板付き既製コンクリート杭の建て込み方法（図５〜図１２）である。以下、本明細書では、端板付き既製コンクリート杭を既製コンクリート杭と記載し、発明内容の構成と作用効果を述べる。
以下、本発明の実施形態について図面を参照して詳細に説明する。
本実施形態における杭端面に端板が固定された端板付き既製コンクリート杭の吊り金具装置は、端板上に放射状に設けられて杭本体より外側に突出するかみ合わせ金物と、かみ合わせ金物と連結される杭吊り治具と、を備え、杭吊り治具は、既製コンクリート杭の杭頭部を覆う筒状胴部と、筒状胴部の外周面に設けられたワイヤ掛け部材と、かみ合わせ金物と係合する、筒状胴部に形成された係合切欠き部とを有していることを特徴とする。
【００１３】
図１は、吊り金具装置、及び吊り金具装置が装着された既製コンクリート杭の側面図である。図２は、既製コンクリート杭の上端の斜視図である。図３は、吊り金具装置の斜視図である。図４は、吊り金具装置が装着された既製コンクリート杭の斜視図である。
本実施形態における吊り金具装置１０が装着される既製コンクリート杭１は、例えばＰＨＣ杭（Ｐｒｅｔｅｎｓｉｏｎｅｄ  Ｓｐｕｎ  Ｈｉｇｈ  Ｓｔｒｅｎｇｔｈ  Ｃｏｎｃｒｅｔｅ  Ｐｉｌｅｓ）であるが、他の種類の杭でも構わない。既製コンクリート杭１は、断面が円状に形成されている。
既製コンクリート杭１は、杭本体３と端板１２を備えている。
既製コンクリート杭１の上端（端部、杭頭部）１ａに、吊り金具装置１０が装着されている。
吊り金具装置１０は、図１に示すように、端板１２に固定されたかみ合わせ金物１３と、かみ合わせ金物１３と連結される杭吊り治具２０を備えている。
【００１４】
端板１２は、図２に示されるように杭工場または建設現場において、杭本体３に固定されている。端板１２は略円形の板材である。端板１２は、杭本体３の杭端面３ａ（図１参照）に、各々の中心が同心となるように位置づけられて、ボルト１４により杭本体３に固定されている。また、端板１２は、その径は、杭本体３の外径と同径、同心に形成されている。また、本体部と端板部の外径は、略同径である。
かみ合わせ金物１３は、略直方体状に形成されている。かみ合わせ金物１３は、長さ方向が端板１２の半径方向に一致して、一端１３ａが既製コンクリート杭１の杭本体３部分の側面１ｃ及び端板１２の外周辺１２ｃよりも、半径方向外側に、放射状に突出するように、設けられている。
本実施形態においては、複数の、例えば４個のかみ合わせ金物１３は、杭工場、または建設現場に搬入した既製コンクリート杭１を敷地内において、端板１２の上面１２ａに溶接で固定されている。かみ合わせ金物１３は、周方向に所定の間隔、例えば９０度の間隔を開けて設けられている。
【００１５】
杭吊り治具２０は、図３に示されるように、筒状胴部２１、ワイヤ掛け部材２６、切欠き部（係合切欠き部）２１ｄ、及び脱落防止プレート２９を備えている。
筒状胴部２１は、略円筒状に形成されている。筒状胴部２１の内径は、端板１２の外径よりもわずかに大きくなるように形成されており、既製コンクリート杭１の上端１ａを覆うことができるようになっている。筒状胴部２１は、中心軸Ｃが上下方向に延在するように位置せしめられ、その上端２１ａ側には、筒状胴部２１の外径と略同等の大きさに形成された略円形の天板２２が接合されている。筒状胴部２１の下端２１ｂ側は開放されて、筒状胴部２１の内部空間が下端２１ｂを介して外部と連通している。
天板２２の上面２２ａには、六角柱状に形成された接続軸２７が接合されている。接続軸２７は、その中心軸が筒状胴部２１の中心軸Ｃと一致するように位置付けられている。天板２２の上面２２ａには、複数のリブ２８が、天板２２と接続軸２７の各々に接合されて設けられている。
【００１６】
筒状胴部２１の外周面２１ｃには、図３に示すように孔２３ｈが設けられた板材である治具取付用ピース２３が、外周面２１ｃに対して垂直に接合されている。
同様に、孔２４ｈが設けられた板材である回転用ピース２４が、外周面２１ｃに対して垂直に接合されている。回転用ピース２４は、筒状胴部２１の外周面２１ｃの、治具取付用ピース２３から周方向に、本実施形態においては、筒状胴部２１を上から見たときに筒状胴部２１の中心軸Ｃを中心として反時計回りである第１方向Ｃ１に、第１間隔Ｒ１を開けた部分に接合されている。
また、筒状胴部２１の外周面２１ｃには、一対のシャックル取付板２５が、外周面２１ｃに対して垂直に接合されている。シャックル取付板２５は、筒状胴部２１の、互いに反対側を向く位置に設けられている。すなわち、シャックル取付板２５は、筒状胴部２１の外周面２１ｃの周方向に所定の間隔を開けて複数個が設けられている。シャックル取付板２５には孔２５ｈが開設されており、この孔２５ｈを介してシャックル（ワイヤ掛け部材）２６が接続されている。図１に示されるように、既製コンクリート杭１を揚重するワイヤ２は、シャックル２６に接続される。
【００１７】
筒状胴部２１には、図３に示すように切欠き部（係合切欠き部）２１ｄが形成されている。より詳細には、筒状胴部２１は、下端２１ｂから上方に向けて略矩形状に切り欠かれて、第１空間Ｓ１が形成されている。筒状胴部２１は、第１空間Ｓ１の上側が、第１空間Ｓ１から更に第１方向Ｃ１に向けて略矩形状に切り欠かれて、第２空間Ｓ２が形成されている。これにより、第２空間Ｓ２の下方には、筒状胴部２１が第１方向Ｃ１とは反対の第２方向Ｃ２に、第１空間Ｓ１に向けて突出する周方向突出部２１ｊが形成されている。
第１空間Ｓ１と第２空間Ｓ２を形成する上側の端辺２１ｅは一致して連続するように、第２空間Ｓ２は形成されている。第２空間Ｓ２の高さＨは、かみ合わせ金物１３の高さよりも大きくなるように形成されている。第１空間Ｓ１の第２方向Ｃ２側の側辺２１ｇと、第２空間Ｓ２の第１方向Ｃ１側に位置する最奥辺２１ｉとの間の、周方向における第２間隔Ｒ２は、第１間隔Ｒ１に、かみ合わせ金物１３の幅Ｗを加算した値と略一致するように、切欠き部２１ｄは形成されている。また、第２空間Ｓ２は、これを形成する下側の端辺２１ｆがかみ合わせ金物１３の幅Ｗよりも大きくなるように形成されている。
このように、筒状胴部２１には、筒状胴部２１の下端２１ｂに向けて開口する開口部２１ｏを備えた切欠き部２１ｄが形成されている。切欠き部２１ｄは、筒状胴部２１の外周面２１ｃの周方向に所定の間隔を開けて複数個が設けられている。本実施形態においては、かみ合わせ金物１３に対応するように、例えば４個の切欠き部２１ｄが、周方向に、例えば９０度の間隔を開けて設けられている。
各切欠き部２１ｄの、第１空間Ｓ１の周囲には、複数の孔２１ｈが開設されている。
【００１８】
杭吊り治具２０は、図３に示すように切欠き部２１ｄの各々に対応して、脱落防止プレート２９が接合可能な構成となっている。脱落防止プレート２９は、切欠き部２１ｄの第１空間Ｓ１よりもわずかに大きな形状に形成されている、湾曲した板状の部材である。より詳細には、脱落防止プレート２９は、これを半径方向外側から筒状胴部２１の外周面２１ｃに接触するように、第１空間Ｓ１に重ねて設けた際に、第１空間Ｓ１を覆うが、第２空間Ｓ２までは覆わない程度の大きさに形成されている。
脱落防止プレート２９には、第１空間Ｓ１を覆うように設けた際に筒状胴部２１の孔２１ｈに対応する位置に、孔２９ｈが開設されている。
【００１９】
（吊り金具装置の構成と取り付け方法）
吊り金具装置１０は、既製コンクリート杭１の上端１ａに装着される。
まず、図２に示される既製コンクリート杭１の上端１ａから既製コンクリート杭１の軸方向上の離れた位置に、図３に示される杭吊り治具２０を、筒状胴部２１の下端２１ｂが既製コンクリート杭１を向くように設ける。このとき、筒状胴部２１の中心軸Ｃを、既製コンクリート杭１の中心軸と一致させ、かつ、切欠き部２１ｄの各々がかみ合わせ金物１３の各々と対向するように位置させる。その後、杭吊り治具２０を既製コンクリート杭１に向けて移動させ、筒状胴部２１の内部に既製コンクリート杭１の上端１ａを挿入し、なおかつ、各かみ合わせ金物１３を対応する筒状胴部２１の第１空間Ｓ１内に格納する。
かみ合わせ金物１３が切欠き部２１ｄの上端辺２１ｅに当接すると、杭吊り治具２０を第２方向Ｃ２へ中心軸Ｃを中心として回転させ、かみ合わせ金物１３を第１空間Ｓ１から第２空間Ｓ２内へと格納する。これにより、杭吊り治具２０を既製コンクリート杭１とは反対側に移動させようとしても、かみ合わせ金物１３が周方向突出部２１ｊの上側の端辺２１ｆと当接する。すなわち、かみ合わせ金物１３と切欠き部２１ｄは係合した状態となる。
最後に、図４に示されるように、脱落防止プレート２９によって第１空間Ｓ１を半径方向外側から覆い、ボルト３０等により筒状胴部２１に固定することにより、切欠き部２１ｄに係合されたかみ合わせ金物１３の、切欠き部２１ｄの開口部２１ｏ側を閉塞する。これにより、杭吊り治具２０を開口部２１ｏ側の方向である第２方向Ｃ２へ回転させようとしても、かみ合わせ金物１３が脱落防止プレート２９の端辺に当接する。したがって、第２方向Ｃ２への杭吊り治具２０の回転、及びこれに伴う杭吊り治具２０の既製コンクリート杭１からの離脱は抑制される。
【００２０】
（既製コンクリート杭の建込み方法）
次に、図５〜図１２を用いて、既製コンクリート杭の建込み方法について説明する。ここでは、先行杭と打継ぎ杭の複数の既製コンクリート杭１を連結しつつ建て込む方法を説明する。図５〜図９は、先行杭の建て込みを説明する説明図であり、図１０〜１２は、打継ぎ杭を先行杭に連結させて杭穴に建て込む工程を説明する説明図である。
本実施形態における端板付き既製コンクリート杭の建込み方法は、先行杭を杭穴に建て込み、杭預け用ワイヤで先行杭を保持した状態で、先行杭の上部に打継ぎ杭を連結させる、いわゆる外堀工法に関するものであって、上記の端板付き既製コンクリート杭の吊り金具装置を用いて、先行杭を杭穴に建て込む工程と、先行杭の杭頭部を杭預け用ワイヤで締結して、杭預け用ワイヤを杭穴近傍に設けられた杭受け部材に固定して、先行杭を杭穴に保持する工程と、先行杭の杭吊り治具を取り外す工程と、先行杭の上部に、打継ぎ杭を建て込み、先行杭の上端と、打継ぎ杭の下端を連結させる工程と、を含むものであり、杭穴に建て込む工程から先行杭に打継ぎ杭を連結させる工程までを繰り返し行い、杭穴に所定長さの端板付き既製コンクリート杭を建て込むことを特徴とする。
【００２１】
まず、掘削機により杭穴を掘削する。
次に、既製コンクリート杭１の上端１ａにかみ合わせ金物１３を取り付ける。
本実施形態においては、先行杭になる下杭、中杭では、かみ合わせ金物付き端板１２を用意し、これを、杭材の上端１ａに設けられた図示されない端板（アンカーリング端板部）に重ねて配置して、端板どうしをボルトで固定させる。この場合において、かみ合わせ金物付き端板１２の外周辺１２ｃは、先行杭１Ａの側面１ｃから半径方向に突出するように、端板１２は形成されている。
また、打継杭のみで使用する上杭では、杭材の上端１ａに設けられた端板にかみ合わせ金物１３を直接溶接し、これをかみ合わせ金物付き端板１２とする。
杭体の上部１ａは、アンカーリングスカート部に相当する。
【００２２】
その後、図５に示されるように、先行杭１Ａの端部１ａに固定されたかみ合わせ金物１３付きの端板１２と、杭吊り治具２０を連結させる。
より具体的には、先行杭１Ａを水平となるように設けた状態で、杭吊り治具２０の治具取付用ピース２３にワイヤ２を連結して揚重し、筒状胴部２１の下端２１ｂが先行杭１Ａを向くように位置づける。ここで、筒状胴部２１の切欠き部２１ｄの開口部２１ｏと、先行杭１Ａに接合されたかみ合わせ金物１３の各々が対向するように、先行杭１Ａを周方向に回転して回転位置を調整する。
そして、杭吊り治具２０を先行杭１Ａに向けて移動させ、筒状胴部２１の内部に既製コンクリート杭１の上端１ａを挿入し、なおかつ、各かみ合わせ金物１３を対応する筒状胴部２１の第１空間Ｓ１内に格納する。杭吊り治具２０は、格納されたかみ合わせ金物１３が切欠き部２１ｄの上端辺２１ｅに当接するまで移動させる。図６（ａ）は、この状態における、図５の杭吊り治具２０のＡ−Ａ位置に相当する部分においての断面図である。
【００２３】
次に、図６（ｂ）に示されるように、ワイヤ２を治具取付用ピース２３から回転用ピース２４へと付け替え、ワイヤ２を緊張させて杭吊り治具２０の回転用ピース２４部分を上方へと持ち上げるように力を作用させる。すると、回転用ピース２４は杭吊り治具２０の最も高く位置するように移動しようとする。これに伴って杭吊り治具２０は、図６（ｃ）に示されるように、治具取付用ピース２３の方向、すなわち第２方向Ｃ２へと、治具取付用ピース２３と回転用ピース２４の間の間隔である第１間隔Ｒ１だけ回転する。
このとき、各切欠き部２１ｄにおいて、第２空間Ｓ２は第１空間Ｓ１の第１方向Ｃ１側に形成されているため、この回転に伴って、各かみ合わせ金物１３は第２空間Ｓ２内へと移動する。切欠き部２１ｄにおける側辺２１ｇと最奥辺２１ｉの第２間隔Ｒ２は、第１間隔Ｒ１に、かみ合わせ金物１３の幅Ｗを加算した値と略一致するため、かみ合わせ金物１３は、切欠き部２１ｄの最奥辺２１ｉに当接した状態で、杭吊り治具２０の回転は停止する。
【００２４】
更に、図７に示されるように、脱落防止プレート２９によって第１空間Ｓ１を半径方向外側から覆うことにより、切欠き部２１ｄに係合されたかみ合わせ金物１３の、切欠き部２１ｄの開口部２１ｏ側を閉塞する。
本実施形態においては、切欠き部２１ｄは筒状胴部２１の４か所に設けられていたが、この中の、例えば２か所の切欠き部２１ｄに対して、脱落防止プレート２９を接合している。
【００２５】
その後、図８に示されるように、杭打機４０により先行杭１Ａを揚重する。このとき、先行杭１Ａの下端１ｂにもワイヤ４１を連結し、合番クレーン機４２により相吊りする。
そして、図９に示されるように、事前に掘削された杭穴４３へと先行杭１Ａを挿入し、先行杭１Ａを杭穴４３に建て込む。先行杭１Ａの自重による自然落下のみでは先行杭１Ａが杭穴４３内に沈降しない場合には、杭吊り治具２０の接続軸２７を、図示されない減速器に接続されたロッドに接続し、先行杭１Ａを回転させて杭穴４３内を沈降させる。
先行杭１Ａの沈降が完了すると、先行杭１Ａの上端１ａに杭預け用ワイヤ４５を締結して、杭預け用ワイヤ４５を杭穴４３近傍に設けられた杭受け部材４４に固定し、先行杭１Ａを杭穴４３に保持する。
【００２６】
このように、先行杭１Ａを杭預け用ワイヤ４５に支持させた状態で、図９に示すように杭吊り治具２０を先行杭１Ａから取り外す。
より詳細には、脱落防止プレート２９を外した後に、ワイヤ２により杭吊り治具２０を少し持ち上げて、図３に示される切欠き部２１ｄの上端辺２１ｅを、かみ合わせ金物１３から離し、杭吊り治具２０が自由に回転できるようにする。その後、杭吊り治具２０を第１方向Ｃ１へと回転させ、各かみ合わせ金物１３を第２空間Ｓ２から第１空間Ｓ１へと移動させる。そして、杭吊り治具２０を更に持ち上げることにより、杭吊り治具２０が先行杭１Ａから取り外される。
杭吊り治具２０が取り外された後に、先行杭１Ａの端板１２に接合されたかみ合わせ金物１３を、端板１２から撤去する。
【００２７】
先行杭１Ａを建て込んだ後には、図１０（ａ）に示されるように、先行杭１Ａと同様に打継ぎ杭１Ｂを、杭吊り治具２０を用いて揚重し、打継ぎ杭１Ｂの下端１ｂを先行杭１Ａの上端１ａ上に当接させる。
図１０（ｂ）に示されるように、先行杭１Ａと打継ぎ杭１Ｂは、これらの側面１ｃに沿うように湾曲した板体である接続プレート４７により接合される。接続プレート４７の内側には、係合溝４７ｃが形成されている。
打継ぎ杭１Ｂの下端１ｂには、端板４６が接合されており、端板４６の外周辺４６ｃは、打継ぎ杭１Ｂの側面１ｃよりも半径方向に突出している。また、既に説明したように、先行杭１Ａにおいて、かみ合わせ金物付き端板１２の外周辺１２ｃは、先行杭１Ａの側面１ｃから半径方向に突出するように、端板１２は形成されている。このような、先行杭１Ａと打継ぎ杭１Ｂの側面１ｃから半径方向に突出している端板１２と端板４６の外周辺１２ｃ、４６ｃを、接続プレート４７の係合溝４７ｃに係合させて挟み込むようにして、先行杭１Ａと打継ぎ杭１Ｂの接合部を複数の接続プレート４７で囲い、外方から固定する。
このようにして、先行杭１Ａの上端１ａと、打継ぎ杭１Ｂの下端１ｂを連結させる。
【００２８】
打継ぎ杭１Ｂを先行杭１Ａに連結させた後に、図１１（ａ）に示されるように、ワイヤ２を下降させて、先行杭１Ａ及び打継ぎ杭１Ｂを杭穴４３内に更に沈降させる。先行杭１Ａの場合と同様に、先行杭１Ａと打継ぎ杭１Ｂの自重による自然落下のみでは沈降しない場合には、図示されない減速器により先行杭１Ａと打継ぎ杭１Ｂを回転させて杭穴４３内を沈降させる。
先行杭１Ａと打継ぎ杭１Ｂの沈降が完了すると、図１１（ｂ）に示されるように、打継ぎ杭１Ｂの上端１ａに杭預け用ワイヤ４５を締結して、先行杭１Ａを杭穴４３に保持し、杭吊り治具２０を打継ぎ杭１Ｂから取り外す。
このようにして、先行杭１Ａの上部に打継ぎ杭１Ｂを建て込む。
【００２９】
上記のように、杭穴４３への建て込みから先行杭１Ａと打継ぎ杭１Ｂの連結までを必要とされる回数だけ繰り返し行うことにより、杭穴４３に所望とされる長さの既製コンクリート杭１を建て込むことができる。
【００３０】
全ての打継ぎ杭１Ｂが建て込まれたら、図１２（ａ）に示されるように、打継ぎ杭１Ｂの上端１ａに、埋設用ロッド４９の先端に設けられた回転キャップ４８を連結する。回転キャップ４８は、杭吊り治具２０の筒状胴部２１と略同様の、切欠き部を備えた形状をしており、杭吊り治具２０と同様の要領で、第２方向Ｃ２に回転させることにより、既製コンクリート杭１の上端１ａに装着可能である。杭吊り治具２０の場合においては、筒状胴部２１の第１空間Ｓ１を塞ぐように脱落防止プレート２９を設けたが、回転キャップ４８を接続する場合においては脱落防止プレートを接合せず、第１空間は塞がない。
このように回転キャップ４８を接続した状態で、図１１（ｂ）に示される杭預け用ワイヤ４５を外し、回転キャップ４８を埋設用ロッド４９により第２方向Ｃ２に回転させて、先行杭１Ａ及び打継ぎ杭１Ｂを杭穴４３内に沈降させる。沈降時の回転キャップ４８の回転方向が、回転キャップ４８を既製コンクリート杭１の上端１ａに連結する際の回転方向と一致しているため、脱落防止プレートが設けられていなくとも、回転キャップ４８は打継ぎ杭１Ｂの上端１ａから外れない。
【００３１】
先行杭１Ａ及び打継ぎ杭１Ｂが予定された深さだけ沈降したら、図１２（ｂ）に示されるように、回転キャップ４８の回転を停止する。より詳細には、埋設用ロッド４９に設けられたロッドマーキング４９ａがレベル計測器５０により検出された際に、先行杭１Ａ及び打継ぎ杭１Ｂの沈降を停止する。
その後、回転キャップ４８を、先行杭１Ａ及び打継ぎ杭１Ｂを沈降させるために回転させた第２方向Ｃ２とは逆方向Ｃ１に回転させて、回転キャップ４８を打継ぎ杭１Ｂの上端１ａから取り外す。回転キャップ４８の第１空間は脱落防止プレートにより塞がれていないため、第１方向Ｃ１に回転させるだけで回転キャップ４８を打継ぎ杭１Ｂから取り外すことができる。
【００３２】
次に、上記の端板付き既製コンクリート杭の吊り金具装置、及び端板付き既製コンクリート杭の建込み方法の効果について説明する。
【００３３】
本実施形態の既製コンクリート杭１の吊り金具装置１０は、杭端面３ａに端板１２が固定された端板付き既製コンクリート杭１の吊り金具装置１０であって、端板１２上に放射状に設けられて杭本体３より外側に突出するかみ合わせ金物１３と、かみ合わせ金物１３と連結される杭吊り治具２０と、を備え、杭吊り治具２０は、既製コンクリート杭１の杭頭部１ａを覆う筒状胴部２１と、筒状胴部２１の外周面２１ｃに設けられたシャックル２６と、かみ合わせ金物１３と係合する、筒状胴部２１に形成された係合切欠き部２１ｄとを有していることを特徴とする。
上記のような構成によれば、端板付き既製コンクリート杭１の端板１２上には、かみ合わせ金物１３が杭本体３より外部側に突出するように放射状に設けられている。この端板付き既製コンクリート杭１の杭頭部１ａに、既製コンクリート杭１を覆う筒状胴部２１と、当該筒状胴部２１の外周面２１ｃに設けられたシャックル２６と、かみ合わせ金物１３と係合させる係合切欠き部２１ｄとを有する杭吊り治具２０を設置し、当該杭吊り治具２０をかみ合わせ金物１３付き端板１２とを係合させることで、杭１に杭吊り治具２０を確実に沿う装着させることができ、杭１を脱落させることなく、端板付き既製コンクリート杭１を縦吊り楊重することができる。具体的には、かみ合わせ金物１３と、杭吊り治具２０の切欠き部２１ｄが係合しているため、端板付き既製コンクリート杭１と、シャックル２６に固定されたワイヤ２は、端板１２及びこれに設けられたかみ合わせ金物１３、杭吊り治具２０の筒状胴部２１、及びシャックル２６を介して連結されている。
【００３４】
また、係合切欠き部２１ｄには、その開口部２１ｏを閉塞するように筒状胴部２１に脱落防止プレート２９が取り付けられている。
上記のような構成によれば、係合切欠き部２１ｄに係合されたかみ合わせ金物１３は、係合切欠き部２１ｄの開口部２１ｏ側を閉塞するように、脱落防止プレート２９が取り付けられているため、かみ合わせ金物１３が係合切欠き部２１ｄから外れようとしても、脱落防止プレート２９で抑止することができるしたがって、既製コンクリート杭１の脱落を抑制することができる。また、この逆の手順を踏むことにより、杭吊り治具２０を既製コンクリート杭１から取り外すことができる。すなわち、吊り金具装置１０の既製コンクリート杭１への装着、取り外しが容易である。
【００３５】
また、シャックル２６、及び切欠き部２１ｄは、其々、筒状胴部２１の外周面２１ｃの周方向に所定の間隔を開けて複数個が設けられることを特徴とする。
上記のような構成によれば、既製コンクリート杭１を安定した状態で揚重することができる。
【００３６】
また、本実施形態の端板付き既製コンクリート杭１の建込み方法は、先行杭１Ａを杭穴４３に建て込み、杭預け用ワイヤ４５で先行杭１Ａを保持した状態で、先行杭１Ａの上部に打継ぎ杭１Ｂを連結させる端板付き既製コンクリート杭１の建込み方法であって、上記の端板付き既製コンクリート杭１の吊り金具装置１０を用いて、先行杭１Ａを杭穴４３に建て込む工程と、先行杭１Ａの上端（杭頭部）１ａを杭預け用ワイヤ４５で締結して、杭預け用ワイヤ４５を杭穴４３近傍に設けられた杭受け部材４４に固定して、先行杭１Ａを杭穴４３に保持する工程と、先行杭１Ａの杭吊り治具２０を取り外す工程と、先行杭１Ａの上部に、打継ぎ杭１Ｂを建て込み、先行杭１Ａの上端１ａと、打継ぎ杭１Ｂの下端１ｂを連結させる工程と、を含むものであり、杭穴４３に建て込む工程から先行杭１Ａに打継ぎ杭１Ｂを連結させる工程までを繰り返し行い、杭穴４３に所定長さの端板付き既製コンクリート杭１を建て込むことを特徴とする。
上記のような構成によれば、上記に示す端板付き既製コンクリート杭１の吊り金具装置１０を用いることで、端板付き既製コンクリート杭１を楊重した際の回転や横ブレを抑止可能であり、かつ端板付き既製コンクリート杭１の脱落を抑制可能で、安定した縦吊り状態で、杭穴に複数の端板付き既製コンクリート杭１を建て込み、連結させてコンクリート杭１を構築することができる。
また、吊り金具装置１０の端板付き既製コンクリート杭１への装着、取り外しが容易であり、したがって、既製コンクリート杭１の建て込みの工数を低減可能である。
【００３７】
なお、本発明の端板付き既製コンクリート杭の吊り金具装置、及び端板付き既製コンクリート杭の建込み方法は、図面を参照して説明した上述の実施形態に限定されるものではなく、その技術的範囲において他の様々な変形例が考えられる。
【００３８】
例えば、上記実施形態においては、かみ合わせ金物１３は図２に示されるように略直方体状に形成されていたが、これに加えて、図１３に示されるように、その先端１３ａに、かみ合わせ金物１３の長さ方向に直交するように板材１５が接合されていてもよい。外堀工法においては、既製コンクリート杭１の外径に対して杭穴の径が大きいため、既製コンクリート杭１を建て込んだ後に、既製コンクリート杭１の水平方向のずれが生じる場合がある。図１３のように板材１５をかみ合わせ金物１３の先端１３ａに設けた場合には、板材１５の表面が杭穴の表面に当接することにより、上記のようなずれを抑制可能である。
【００３９】
また、上記実施形態においては、端板１２は４つのかみ合わせ金物１３を備えており、筒状胴部２１は４つの切欠き部２１ｄを備えていた。また、杭吊り治具２０は２つのシャックル取付板２５、シャックル２６を備えていた。これらの部材の数は、周方向に所定の間隔を開けて均等に設けられていれば、上記に限られないことは言うまでもない。
また、上記実施形態においては、切欠き部２１ｄは、２つの矩形状の第１空間Ｓ１、第２空間Ｓ２が形成されるような形状とされていたが、これに限られず、杭吊り治具２０を第２方向Ｃ２に回転させた際に、切欠き部２１ｄとかみ合わせ金物１３が係合するような形状であれば、どのような形状でもよいのは言うまでもない。
【００４０】
これ以外にも、本発明の主旨を逸脱しない限り、上記実施形態で挙げた構成を取捨選択したり、他の構成に適宜変更したりすることが可能である。例えば、上記実施形態では、杭吊り治具２０を構成する筒状胴部２１の切欠き部分には、外周面に脱落防止プレート２９を設置したが、脱落防止プレートを設けない構成としてもよい。
【符号の説明】
【００４１】
１      既製コンクリート杭          ２１ｄ  切欠き部（係合切欠き部）
１Ａ    先行杭                      ２１ｏ  開口部
１Ｂ    打継ぎ杭                    ２３    治具取付用ピース
１ａ    上端（杭頭部、端部）        ２４    回転用ピース
１ｂ    下端                        ２６    シャックル（ワイヤ掛け部材）
２      ワイヤ                      ２９    脱落防止プレート
３      杭本体                      ４３    杭穴
３ａ    杭端面                      ４４    杭受け部材
１０    吊り金具装置                ４５    杭預け用ワイヤ
１２    端板                        Ｃ１    第１方向
１３    かみ合わせ金物              Ｃ２    第２方向
２０    杭吊り治具                  Ｓ１    第１空間
２１    筒状胴部                    Ｓ２    第２空間
２１ｃ  外周面                      
【図１】
2019190172.tif 000003
【図２】
2019190172.tif 000004
【図３】
2019190172.tif 000005
【図４】
2019190172.tif 000006
【図５】
2019190172.tif 000007
【図６】
2019190172.tif 000008
【図７】
2019190172.tif 000009
【図８】
2019190172.tif 000010
【図９】
2019190172.tif 000011
【図１０】
2019190172.tif 000012
【図１１】
2019190172.tif 000013
【図１２】
2019190172.tif 000014
【図１３】
2019190172.tif 000015